(57)【要約】【課題】ユニットの挿抜時に、入力装置及びケーブルとユニットとの干渉を抑制することが目的である。【解決手段】ノートパソコンの本体装置１１は、アッパーケース４１と、「入力装置」の一例であるキーボード５０と、「ケーブル」の一例であるフレキシブルケーブル８８と、支持部材１００とを備える。キーボード５０は、アッパーケース４１の内側からアッパーケース４１に貼り付けられる。キーボード５０の裏側には、例えば光ディスクドライブユニットなどのユニットが挿抜されるベイ３０が位置し、フレキシブルケーブル８８の中央部８８Ａは、ベイ３０の内壁を形成するキーボード５０の裏面５０Ａに沿って配線される。支持部材１００は、ベイ３０に設けられキーボード５０の裏面５０Ａを支持する支持部１０１と、フレキシブルケーブル８８に対する裏面５０Ａと反対側からフレキシブルケーブル８８の中央部８８Ａを覆う覆い部１０２とを有する。【選択図】図９
2016042259.tif 000002
【特許請求の範囲】
【請求項１】
ケースと、
前記ケースの内側から前記ケースに貼り付けられると共に、前記ケースへの貼付側と反対側にユニットが挿抜される収容空間が位置する入力装置と、
少なくとも一部が前記収容空間の内壁に沿って配線されたケーブルと、
前記収容空間に設けられ前記入力装置の前記ケースへの貼付側と反対側の面を支持する支持部と、前記ケーブルに対する前記内壁と反対側から前記ケーブルの少なくとも前記一部を覆う覆い部とを有する支持部材と、
を備えた電子機器。
【請求項２】
前記支持部は、前記入力装置の前記ケースへの貼付側と反対側の面の縁部を支持する、
請求項１に記載の電子機器。
【請求項３】
前記支持部は、前記入力装置の前記ケースへの貼付側と反対側の面における前記縁部としての角隅部を支持する、
請求項２に記載の電子機器。
【請求項４】
前記覆い部は、前記入力装置の中央部に対する前記支持部と反対側に位置し、
前記支持部材は、前記収容空間に設けられると共に前記支持部と前記覆い部とを連結し前記入力装置の前記ケースへの貼付側と反対側の面の中央部を支持する連結部をさらに有する、
請求項２又は請求項３に記載の電子機器。
【請求項５】
ケースの内側から前記ケースに貼り付けられた入力装置の前記ケースへの貼付側と反対側に位置しユニットが挿抜される収容空間に設けられ、前記入力装置の前記ケースへの貼付側と反対側の面を支持する支持部と、
少なくとも一部が前記収容空間の内壁に沿って配線されたケーブルの少なくとも前記一部を前記ケーブルに対する前記内壁と反対側から覆う覆い部と、
を有する支持部材。
【発明の詳細な説明】
【技術分野】
【０００１】
本願の開示する技術は、電子機器及び支持部材に関する。
【背景技術】
【０００２】
電子機器としては、例えば、入力装置と、この入力装置の裏側に配置されたユニットとを備えた電子機器がある（例えば、特許文献１，２参照）。
【０００３】
また、入力装置を備えた電子機器としては、入力装置がケースの内側からケースに貼り付けられた電子機器がある（例えば、特許文献３参照）。さらに、ユニットを備えた電子機器としては、ユニットを収容空間に自在に挿抜できる電子機器がある（例えば、特許文献４参照）。また、この種の電子機器では、一般的に、電子部品の接続にケーブルが用いられる（例えば、特許文献５参照）。
【先行技術文献】
【特許文献】
【０００４】
【特許文献１】特開２０１１−１３８５５４号公報
【特許文献２】特開２００１−１４０６２号公報
【特許文献３】特開２０１２−２０８７８８号公報
【特許文献４】特開２００１−２７９１６号公報
【特許文献５】国際公開第２０１１／０６１８５６号パンフレット
【発明の概要】
【発明が解決しようとする課題】
【０００５】
ケースの内側からケースに貼り付けられた入力装置のケースへの貼付側と反対側にユニットが挿抜される収容空間が位置する場合に、収容空間が位置する部位において入力装置がケースから剥がれると、ユニットの挿抜時にユニットと入力装置とが干渉する虞がある。また、ユニットが挿抜される収容空間をケーブルが通る場合に、ケーブルがユニットの経路上に張り出すと、ユニットの挿抜時にユニットとケーブルとが干渉する虞がある。
【０００６】
本願の開示する技術は、一つの側面として、ユニットの挿抜時に、入力装置及びケーブルとユニットとが干渉することを抑制することを目的とする。
【課題を解決するための手段】
【０００７】
上記目的を達成するために、本願の開示する技術の一観点によれば、ケースと、入力装置と、ケーブルと、支持部材とを備えた電子機器が提供される。入力装置は、ケースの内側からケースに貼り付けられる。入力装置のケースへの貼付側と反対側には、ユニットが挿抜される収容空間が位置し、ケーブルの少なくとも一部は、収容空間の内壁に沿って配線される。支持部材は、収容空間に設けられ入力装置のケースへの貼付側と反対側の面を支持する支持部と、ケーブルに対する上記内壁と反対側からケーブルの少なくとも上記一部を覆う覆い部とを有する。
【発明の効果】
【０００８】
本願の開示する技術によれば、ユニットの挿抜時に、入力装置及びケーブルとユニットとが干渉することを抑制できる。
【図面の簡単な説明】
【０００９】
【図１】第一実施形態に係るノート型パーソナルコンピュータの斜視図である。
【図２】ノート型パーソナルコンピュータ、及び、ベイに挿入される複数のユニットを示す斜視図である。
【図３】アッパーケース、両面テープ、及び、キーボードの分解斜視図である。
【図４】キーボードの要部拡大斜視図である。
【図５】ノート型パーソナルコンピュータの底面図である。
【図６】ロアケースが取り外された状態でのノート型パーソナルコンピュータの底面図である。
【図７】ロアケース及び光ディスクドライブユニットが取り外された状態でのノート型パーソナルコンピュータの底面図である。
【図８】メイン基板が位置する部位でのノート型パーソナルコンピュータの側断面図である。
【図９】第一実施形態に係る支持部材及びその周辺構造を示す分解斜視図である。
【図１０】第一実施形態に係る支持部材の斜視図である。
【図１１】第一実施形態に係る支持部材及びその周辺構造を示す斜視図である。
【図１２】図１１のＦ１２−Ｆ１２線断面図である。
【図１３】図１１のＦ１３−Ｆ１３線断面図である。
【図１４】突出部が位置する部位でのノート型パーソナルコンピュータの側断面図である。
【図１５】連結部が位置する部位でのノート型パーソナルコンピュータの側断面図である。
【図１６】覆い部及びその周辺構造を示す底面図である。
【図１７】図１６のＦ１７−Ｆ１７線断面図である。
【図１８】第二実施系形態に係るキーボードをその表側から見た斜視図である。
【図１９】第二実施形態に係るキーボードをその裏側から見た斜視図である。
【図２０】ロアケースを取り外した状態でのベイ及びその周辺構造を示す斜視図である。
【図２１】ロアケースを取り外した状態での支持部材及びその周辺構造を示す斜視図である。
【図２２】第二実施形態に係る支持部材の斜視図である。
【図２３】ロアケースを取り付けた状態での支持部材及びその周辺構造を示す斜視図である。
【発明を実施するための形態】
【００１０】
［第一実施形態］
はじめに、本願の開示する技術の第一実施形態を説明する。
【００１１】
第一実施形態では、「電子機器」の一例として、ノート型パーソナルコンピュータについて説明する。図１に示されるように、第一実施形態に係るノート型パーソナルコンピュータ１０は、本体装置１１と、本体装置１１に回動可能に固定された表示装置１２とを備える。表示装置１２には、例えば液晶表示器などの表示器１３が設けられている。この表示装置１２は、本体装置１１側に閉じられた状態と、本体装置１１から開かれた状態とを取り得る。図１では、表示装置１２が開かれた状態で示されている。
【００１２】
なお、各図の矢印ＵＰ、矢印ＦＲ、及び、矢印ＲＨは、ノート型パーソナルコンピュータ１０の高さ方向の上側、奥行方向の手前側（前側）、及び、横幅方向の右側をそれぞれ示している。
【００１３】
図２に示されるように、本体装置１１には、「収容空間」の一例であるベイ３０が形成されている。このベイ３０は、平面視にて概略矩形状に形成されており、一例として、本体装置１１の右側面に開口している。
【００１４】
このベイ３０には、光ディスクドライブ（ＯＤＤ：Ｏｐｔｉｃａｌ  Ｄｉｓｋ  Ｄｒｉｖｅ）ユニット２１、増設バッテリユニット２２、及び、ダミーユニット２３のいずれかが選択的に挿入される。光ディスクドライブユニット２１、増設バッテリユニット２２、及び、ダミーユニット２３は、「ユニット」の一例であり、いずれも平盤状に形成されている。
【００１５】
第一実施形態に係るノート型パーソナルコンピュータ１０は、好ましくは、光ディスクドライブユニット２１、増設バッテリユニット２２、及び、ダミーユニット２３のいずれかを備える。以下、光ディスクドライブユニット２１、増設バッテリユニット２２、及び、ダミーユニット２３をまとめてユニットと称する場合がある。
【００１６】
なお、ノート型パーソナルコンピュータ１０は、光ディスクドライブユニット２１、増設バッテリユニット２２、及び、ダミーユニット２３を備えなくても良い。つまり、光ディスクドライブユニット２１、増設バッテリユニット２２、及び、ダミーユニット２３は、ノート型パーソナルコンピュータ１０に付属されずに、オプション品とされていても良い。ベイ３０にユニットが挿入されない場合、ベイ３０の開口は、開放されていても良いし、蓋材によって閉塞されていても良い。
【００１７】
本体装置１１は、ケース４０と、「入力装置」の一例であるキーボード５０とを有する。ケース４０は、薄型の箱体であり、平面視にて概略矩形状に形成されている。このケース４０は、本体装置１１の厚さ方向（高さ方向）に分割されたアッパーケース４１及びロアケース４２を有する。
【００１８】
図３に示されるように、アッパーケース４１は、格子状の枠部４３を有している。この枠部４３には、複数の開口４４が配列されて形成されている。この複数の開口４４は、後述するキーボード５０に設けられた複数のキートップ５２の各々と対応する位置に形成されると共に、この複数のキートップ５２の各々と対応する形状で形成されている。
【００１９】
キーボード５０は、キーボードベース５１と、複数のキートップ５２とを有する。キーボードベース５１は、矩形板状に形成されており、複数のキートップ５２は、キーボードベース５１の表側に配列されている。
【００２０】
キーボード５０は、一例として、アイソレーションキーボードであり、両面テープ５３により、アッパーケース４１の内側からアッパーケース４１に貼り付けられる。つまり、両面テープ５３は、枠部４３と同様の格子状に形成されており、この両面テープ５３により、キーボード５０は、複数のキートップ５２の各々の周囲部にて枠部４３の裏面に貼り付けられる。
【００２１】
このようにしてキーボード５０がその表側から枠部４３の裏面に貼り付けられた状態において、キーボードベース５１は、アッパーケース４１（枠部４３）に覆われ、複数のキートップ５２は、複数の開口４４の各々に挿入される。複数のキートップ５２は、複数の開口４４の各々に挿入されることにより、この複数の開口４４の各々を通じてアッパーケース４１の表側に露出される（図１参照）。
【００２２】
キーボードベース５１には、このキーボードベース５１の外側に延出する複数の固定片７１〜７５が形成されている。固定片７１は、キーボード５０の右前側の角隅部６１（カーソルキー５５が設けられた側の角隅部）からキーボード５０の前側に延出されており、固定片７２は、キーボード５０の左前側の角隅部６２からキーボード５０の前側に延出されている。固定片７１が形成されたキーボード５０の右前側の角隅部６１は、「入力装置の角隅部」の一例であり、固定片７１は、「入力装置の外側」の一例として、キーボード５０の前側（手前側）に延出する。
【００２３】
また、固定片７３，７４は、キーボード５０の左右両側の縁部６３，６４からキーボード５０の左右両側にそれぞれ延出されており、固定片７５は、キーボード５０の後側の縁部６５における左右両端側からキーボード５０の後側に延出されている。この複数の固定片７１は、いずれもキーボード５０の縁部に沿って延びる長尺状に形成されている。
【００２４】
また、キーボード５０の後側の縁部６５における左右両端側には、キーボード５０の後側に延出する舌片状の締結片７７がそれぞれ形成されている。キーボード５０は、締結片７７にてアッパーケース４１にネジ止めされる。上述の複数の固定片７１〜７５及び締結片７７は、キーボードベース５１の表面に両面テープ５３が貼り付けられた状態において、この両面テープ５３の外周部５３Ａよりも外側に位置する（図４参照）。
【００２５】
図５に示されるように、ロアケース４２には、底面視にてベイ３０と重なる位置に切欠き４５が形成されている。この切欠き４５は、矩形状に形成されており、ベイ３０と同様に、本体装置１１の右側面に開口している。図５には、一例として、ベイ３０に光ディスクドライブユニット２１が挿入されている状態が示されている。光ディスクドライブユニット２１などのユニットがベイ３０に挿入されている状態において、切欠き４５は、ユニットに設けられた底面カバー２４によって塞がれる。
【００２６】
図６には、図５に示されるロアケース４２が本体装置１１から取り外された状態が示されており、図７には、さらに図６に示される光ディスクドライブユニット２１が本体装置１１から取り外された状態が示されている。
【００２７】
図７に示されるように、本体装置１１には、「第一の基板」の一例であるメイン基板８０が設けられている。このメイン基板８０は、基板本体（プリント基板）と、実装部品を有している。基板本体は、矩形状に形成されており、実装部品は、基板本体に実装されている。実装部品には、例えば、キーボード５０からの信号を処理する電子部品や、表示装置１２（図１参照）を駆動するための電子部品などが含まれる。この基板本体及び実装部品を含むメイン基板８０は、「収容空間と並んで配置された基板」の一例であり、本体装置１１の横幅方向にベイ３０と並んで配置されている。
【００２８】
このベイ３０及びメイン基板８０は、キーボード５０の裏側に位置する。キーボード５０の裏側は、「ケースへの貼付側と反対側」の一例であり、キーボード５０の裏面５０Ａは、「入力装置のケースへの貼付側と反対側の面」の一例である。
【００２９】
図８に示されるように、メイン基板８０は、キーボード５０の裏面５０Ａ（より詳細には、後述するシート部材５４）に近接して対向されている。キートップ５２が押下されるなど、キーボード５０の表側からキーボードベース５１に荷重Ｆが作用し、キーボードベース５１がキーボード５０の裏側に撓んだ場合には、キーボードベース５１がメイン基板８０（基板本体又は実装部品等）に当接される。そして、キーボードベース５１がメイン基板８０に当接されることにより、キーボード５０がメイン基板８０によって支持される。なお、キーボード５０の裏面５０Ａは、メイン基板８０（基板本体又は実装部品等）に予め接した状態とされていても良い。
【００３０】
図９に示されるように、ベイ３０の横幅方向両側の側部には、ベイ３０に挿入されるユニットをガイドするための側壁部３１，３２がそれぞれ形成されている。本体装置１１の背面側に搭載されたバッテリ８２と、このバッテリ８２側の側壁部３１との間には、スペース８４（デッドスペース）が存在する。このスペース８４には、「第二の基板」の一例であるサブ基板８６が配置されている。
【００３１】
メイン基板８０の小型化のために、サブ基板８６には、メイン基板８０が元々有する機能が移設されるか、又は、機能拡張のための部品（例えば、インターフェースコネクタ）などが実装される。このサブ基板８６は、ベイ３０の側方に位置し、ベイ３０の奥行方向に沿って延びている。
【００３２】
このサブ基板８６は、「ケーブル」の一例であるフレキシブルケーブル８８によってメイン基板８０と接続されている。フレキシブルケーブル８８は、平らに形成されており、底面視にてＬ字状に折れ曲がっている。フレキシブルケーブル８８におけるサブ基板８６側の一端部は、接続部９０として形成されており、この接続部９０は、サブ基板８６に実装されたコネクタ９２に接続されている。接続部９０は、フレキシブルケーブル８８によって形成されても良いし、フレキシブルケーブル８８の一端部に接続されたコネクタでも良い。
【００３３】
フレキシブルケーブル８８の長さ方向の中央部８８Ａは、キーボード５０の裏面５０Ａと対向し、このキーボード５０の裏面５０Ａに沿って配線されている。キーボード５０の裏面５０Ａは、「収容空間の内壁」の一例であり、ベイ３０の天面（本体装置１１の表側に位置する面）を形成している。
【００３４】
また、キーボード５０の裏面５０Ａには、シート部材５４が重ね合わされている。このシート部材５４は、一例として、光散乱用シートとされており、キーボード５０の外形よりも僅かに小さく形成されている。このシート部材５４は、より具体的には、キーボード５０の裏面５０Ａの周縁部よりも内側（裏面５０Ａの中央部を含む）に重ね合わされている。キーボード５０における固定片７１を含む周縁部は、シート部材５４の外周部よりも外側に位置されている。
【００３５】
キーボード５０の裏面５０Ａは、キーボードベース５１にシート部材５４が重ね合わされた部分では、シート部材５４によって形成され、キーボードベース５１にシート部材５４が重ね合わされていない部分では、キーボードベース５１によって形成される。なお、シート部材５４は、キーボード５０から省かれても良い。
【００３６】
このシート部材５４を含むキーボード５０の裏面５０Ａが露出するベイ３０には、支持部材１００が設けられている。支持部材１００は、一例として、板金製とされており、支持部１０１と、覆い部１０２と、連結部１０３とを有する（図１０も参照）。
【００３７】
連結部１０３は、ベイ３０の奥側に配置されており、支持部１０１と覆い部１０２とを連結している。この連結部１０３は、底面視にて矩形状に形成されており、ベイ３０の横幅方向に延びている。支持部１０１は、連結部１０３の横幅方向一方側（本体装置１１の正面側）に形成されている。一方、覆い部１０２は、連結部１０３の横幅方向他方側（本体装置１１の背面側）に形成されており、底面視にてキーボード５０の中央部に対する支持部１０１と反対側に位置する。支持部１０１、覆い部１０２、及び、連結部１０３は、本体装置１１の厚さ方向（高さ方向）を板厚方向として形成されている。
【００３８】
図１１に示されるように、支持部１０１と、連結部１０３における横幅方向一方側（本体装置１１の正面側）の部位と、覆い部１０２には、締結部１０４，１０５，１０６がそれぞれ設けられている。この複数の締結部１０４〜１０６は、ネジ１２４〜１２６によりアッパーケース４１に締結されており、これにより、支持部材１００は、アッパーケース４１に固定されている。
【００３９】
図９に示されるように、支持部１０１は、底面視にて長尺状に形成されており、固定片７１が形成されたキーボード５０の前側の縁部６６に沿って延びる。支持部１０１の先端部における固定片７１と対応する位置には、連結部１０３に対してキーボード５０側（本体装置１１の表側）に突出する突出部１０７が形成されている。この突出部１０７は、上述のシート部材５４の厚さ分の高さを有している。この突出部１０７は、カーソルキー５５が設けられた側の角隅部６１（図４参照）に形成された固定片７１の裏面７１Ａに当接し、この固定片７１の裏面７１Ａを支持する（図１１も参照）。この固定片７１の裏面７１Ａは、キーボード５０の裏面５０Ａの一部であり、「入力装置のケースへの貼付側と反対側の面の縁部（角隅部）」の一例である。
【００４０】
また、図１１のＦ１２−Ｆ１２線断面図である図１２に示されるように、アッパーケース４１の裏側における固定片７１と対応する位置には、突出部１０７と対向する固定部４６が設けられている。そして、固定片７１は、突出部１０７及び固定部４６によって厚さ方向の両側から挟持されている。
【００４１】
また、図１１に示されるように、支持部１０１の先端部には、被挟持片１０８が形成されている。この被挟持片１０８は、上述のアッパーケース４１及びロアケース４２（図１，図８参照）によって厚さ方向の両側から挟持される。
【００４２】
図１３に示されるように、連結部１０３は、キーボード５０の裏面５０Ａの周縁部よりも内側、すなわち、この場合、シート部材５４と接しており、このシート部材５４を支持する。なお、シート部材５４がキーボード５０から省かれた場合、キーボードベース５１の裏面の周縁部よりも内側に連結部１０３が直接接することで、このキーボードベース５１の裏面の周縁部よりも内側が連結部１０３により支持されても良い。
【００４３】
このように、本体装置１１では、キーボード５０の裏側にベイ３０が設けられている箇所があるが、ベイ３０では、支持部材１００（支持部１０１及び連結部１０３）によってキーボード５０がその裏側から支持されている（図１４，図１５参照）。
【００４４】
図１６に示されるように、覆い部１０２は、本体装置１１の底面視にてフレキシブルケーブル８８の長さ方向の中央部８８Ａと重なる位置に設けられている。図１７に示されるように、この覆い部１０２は、キーボード５０の裏面５０Ａ（シート部材５４）と対向している。そして、この覆い部１０２は、フレキシブルケーブル８８に対するキーボード５０の裏面５０Ａと反対側（本体装置１１の底面側）からフレキシブルケーブル８８の長さ方向の中央部８８Ａを覆っている。この覆い部１０２は、フレキシブルケーブル８８の厚みの分、連結部１０３に対してキーボード５０の裏面５０Ａと反対側（本体装置１１の底面側）にオフセットされている。
【００４５】
また、この覆い部１０２には、コネクタ９２に対する接続部９０の抜き方向に切り欠かれたＬ字状の切欠き１０９が形成されている。この切欠き１０９には、フレキシブルケーブル８８における接続部９０側の部位が挿入されている。
【００４６】
図１０に示されるように、支持部材１００は、上述の支持部１０１、覆い部１０２、及び、連結部１０３に加え、両側一対のレール１１０，１１２と、両側一対の位置決め部１１４，１１６とを有する。一対のレール１１０，１１２は、支持部材１００の横幅方向の両側にそれぞれ形成されている。各レール１１０，１１２は、ユニットの挿抜方向である支持部材１００の奥行方向にそれぞれ延びている（図９も参照）。各レール１１０，１１２は、ベイ３０に対してユニットが挿抜される際に、ユニットと摺接されて、このユニットを支持する。
【００４７】
一対の位置決め部１１４，１１６は、支持部材１００の奥行方向の奥側に形成されている。この一対の位置決め部１１４，１１６は、それぞれ支持部材１００の横幅方向に延びており、この支持部材１００の横幅方向に並んでいる。この一対の位置決め部１１４，１１６は、連結部１０３に対して突出部１０７が突出する側と反対側に突出している（図９も参照）。
【００４８】
図１１に示されるように、メイン基板８０におけるベイ３０側の端部には、一対のコネクタ９４，９６が設けられている。この一対のコネクタ９４，９６には、光ディスクドライブユニット２１や増設バッテリユニット２２（図２参照）などのユニットに設けられたコネクタが接続される。
【００４９】
一対の位置決め部１１４，１１６は、一対のコネクタ９４，９６のほぼ正面にそれぞれ位置されている。各位置決め部１１４，１１６は、ユニットがベイ３０に挿入されて、このユニットのコネクタがコネクタ９４，９６に挿入される際に、ユニットの先端部を支持する。各位置決め部１１４，１１６によってユニットの先端部が支持されることより、ユニットの先端部が位置決めされ、ひいては、ユニットのコネクタがコネクタ９４，９６に対して位置決めされる。
【００５０】
また、連結部１０３の横幅方向の中央部には、底面視にて円弧状の切欠き１１８が形成されている。この円弧状の切欠き１１８は、図５に示されるように、光ディスクドライブユニット２１がベイ３０に挿入された状態において、この光ディスクドライブユニット２１の回転軸２５と同心状に配置される。円弧状の切欠き１１８が光ディスクドライブユニット２１の回転軸２５と同心状に配置されることにより、支持部材１００は、光ディスクドライブユニット２１の回転軸２５に対して回転軸２５の径方向外側に避けて配置される。
【００５１】
次に、第一実施形態の作用及び効果について説明する。
【００５２】
図７に示されるように、キーボード５０の裏側には、メイン基板８０と並んでベイ３０が設けられている。また、キーボード５０は、アッパーケース４１の内側からアッパーケース４１に貼り付けられている。このため、ベイ３０にユニットが挿入されていない状態において、ベイ３０の真上に位置するキートップが必要以上の荷重で押下された場合、ベイ３０が位置する部位においてキーボード５０がアッパーケース４１から剥がれることが懸念される。このようにベイ３０が位置する部位においてキーボード５０がアッパーケース４１から剥がれた場合、このキーボード５０の剥がれた部分がユニットの挿抜時にユニットと干渉する虞がある。
【００５３】
しかしながら、第一実施形態では、キーボード５０の裏面５０Ａのうちベイ３０側の部分は、ベイ３０に設けられた支持部材１００（支持部１０１及び連結部１０３）によって支持されている。従って、ベイ３０の真上に位置するキートップが押下された場合でも、キーボード５０の裏面５０Ａのうちベイ３０側の部分が下側から支持部材１００によって支持されるので、ベイ３０が位置する部位においてキーボード５０がアッパーケース４１から剥がれることを抑制することができる。これにより、ユニットの挿抜時にユニットとキーボード５０とが干渉することを抑制することができる。
【００５４】
特に、図４に示されるように、キーボード５０の右前側の角隅部６１（カーソルキー５５が設けられた側の角隅部）は、スペース上の制約から貼付面積を確保することが難しい。このため、図１４に示されるように、角隅部６１の付近のキートップ（カーソルキー５５）が必要以上の荷重Ｆで押下された場合、角隅部６１がアッパーケース４１から剥がれることが懸念される。また、貼付面積が少ない個所においては、キーボード５０の打鍵性が低下する虞がある。
【００５５】
しかしながら、第一実施形態では、キーボード５０において貼付面積が少ない角隅部６１に固定片７１が形成されている（図４も参照）。そして、この固定片７１の裏面７１Ａが支持部材１００の支持部１０１（突出部１０７）によって支持されている。従って、キーボード５０において貼付面積が少ない角隅部６１の剥がれを抑制することができ、ひいては、ユニットの挿抜時にユニットと角隅部６１とが干渉することを抑制することができる。
【００５６】
また、キーボード５０において貼付面積が少ない角隅部６１に形成された固定片７１の裏面７１Ａが支持部材１００の支持部１０１（突出部１０７）によって支持されているので、角隅部６１の剛性を確保することができる。これにより、角隅部６１の付近に配置されたキートップ（カーソルキー５５）の打鍵性を確保することができる。
【００５７】
また、支持部１０１には、締結部１０４が設けられており、この締結部１０４は、ネジ１２４によってアッパーケース４１に締結されている。従って、支持部１０１の剛性を向上させることができるので、この支持部１０１によって固定片７１の裏面７１Ａをより高い剛性で支持することができる。これにより、固定片７１が形成された角隅部６１の剥がれをより一層効果的に抑制することができる。
【００５８】
また、支持部１０１には、固定片７１の裏面７１Ａと当接される突出部１０７が形成されており、アッパーケース４１の裏側における固定片７１と対応する位置には、突出部１０７と対向する固定部４６が設けられている。そして、図１４に示されるように、固定片７１は、突出部１０７及び固定片７１によって厚さ方向の両側から挟持されている。これにより、固定片７１が形成された角隅部６１の剥がれだけでなく、この角隅部６１のがたつきも抑制することができる。
【００５９】
また、図１５に示されるように、支持部材１００には、支持部１０１と覆い部１０２とを連結する連結部１０３が形成されている。そして、支持部１０１に加えて、連結部１０３においても、キーボード５０の裏面５０Ａが支持される。しかも、この連結部１０３は、キーボード５０の裏面５０Ａの周縁部よりも内側（すなわち、この場合、シート部材５４）を支持する。従って、キーボード５０の中央側に位置するキートップ５２が必要以上の荷重Ｆで押下された場合でも、キーボード５０の中央側の剥がれを抑制することができる。
【００６０】
また、連結部１０３は、ベイ３０の横幅方向の中央部においてキーボード５０の裏面５０Ａ（つまり、裏面５０Ａの中央部５０Ａ１）を支持する。従って、ベイ３０の横幅方向の中央部においてキーボード５０が撓むことを抑制することができる。これにより、ベイ３０にユニットが挿入された状態では、キーボード５０によってユニットが圧迫されることを抑制することができるので、ユニットの負荷を軽減することができる。
【００６１】
また、キーボード５０の裏面５０Ａの周縁部よりも内側には、シート部材５４が重ね合わされているが、シート部材５４の外側に位置する突出部１０７は、シート部材５４の厚さ分の高さを有して突出している。従って、この突出部１０７と連結部１０３とでバランス良くキーボード５０の裏面５０Ａを支持することができる。
【００６２】
また、キーボード５０の裏面５０Ａは、図７に示されるように、メイン基板８０及び支持部材１００によって支持されているので、キーボード５０の全体に亘って剛性を確保することができる。これにより、キーボード５０の場所によって操作性（打鍵性）がばらつくことを抑制することができる。
【００６３】
また、メイン基板８０及びサブ基板８６を接続するフレキシブルケーブル８８の長さ方向の中央部８８Ａは、ベイ３０の内壁（天面）を形成するキーボード５０の裏面５０Ａに沿って配線されている。このように、フレキシブルケーブル８８がベイ３０を通る場合に、フレキシブルケーブル８８がユニットの経路上に張り出すと、ユニットの挿抜時にユニットとフレキシブルケーブル８８とが干渉する虞がある。
【００６４】
しかしながら、第一実施形態では、フレキシブルケーブル８８に対するキーボード５０の裏面５０Ａと反対側（本体装置１１の底面側）から覆い部１０２がフレキシブルケーブル８８の長さ方向の中央部８８Ａを覆っている。従って、フレキシブルケーブル８８がユニットの経路上に張り出すことを抑制することができるので、ユニットの挿抜時にユニットとフレキシブルケーブル８８とが干渉することを抑制することができる。これにより、接続部９０のコネクタ９２からの抜けや、フレキシブルケーブル８８の損傷を抑制することができる。
【００６５】
また、図１３に示されるように、覆い部１０２は、フレキシブルケーブル８８の厚みの分、連結部１０３に対してキーボード５０の裏面５０Ａと反対側（本体装置１１の底面側）にオフセットされている。従って、キーボード５０の裏面５０Ａと覆い部１０２との間にフレキシブルケーブル８８の厚みの分の隙間が確保されるので、フレキシブルケーブル８８が覆い部１０２で押圧される（潰される）ことを抑制することができる。
【００６６】
また、図９に示されるように、本体装置１１には、メイン基板８０に加えてサブ基板８６が設けられている。このサブ基板８６は、バッテリ８２とベイ３０の側壁部３１との間のスペース８４（デッドスペース）に配置されている。従って、このスペース８４をサブ基板８６の配置のために有効に活用することができる。
【００６７】
また、図１１に示されるように、覆い部１０２には、接続部９０の抜き方向に切り欠かれたＬ字状の切欠き１０９が形成されており、この切欠き１０９には、フレキシブルケーブル８８における接続部９０側の部位が挿入されている。従って、フレキシブルケーブル８８の長さ方向の中央部８８Ａが覆い部１０２で覆われた状態でも、接続部９０の抜き差しを行うことができる。これにより、支持部材１００が追加されたことによって本体装置１１の組立順序に影響（制限）が生じることを抑制することができる。
【００６８】
また、図９に示されるように、支持部材１００の横幅方向の両側には、一対のレール１１０，１１２が形成されており、ユニットは、挿抜時にレールと摺接される。従って、ユニット全体が支持部材１００の平面部分と摺接される場合に比して、ユニットと支持部材１００との接触面積が低減される。これにより、ユニットの摺動抵抗を低減することができるので、ユニットの挿抜時の作業性を向上させることができる。
【００６９】
また、支持部材１００の奥行方向の奥側には、一対の位置決め部１１４，１１６が形成されており、各位置決め部１１４，１１６により、光ディスクドライブユニット２１や増設バッテリユニット２２（図２参照）などのユニットの先端部が支持される。これにより、ユニットの先端部が位置決めされるので、ユニットのコネクタをコネクタ９４，９６に対して位置決めすることができる。従って、ユニットの挿入時の作業性を向上させることができる。
【００７０】
また、連結部１０３の横幅方向の中央部には、底面視にて円弧状の切欠き１１８が形成されている。この円弧状の切欠き１１８は、図５に示されるように、光ディスクドライブユニット２１がベイ３０に挿入された状態において、この光ディスクドライブユニット２１の回転軸２５と同心状に配置される。そして、この円弧状の切欠き１１８が光ディスクドライブユニット２１の回転軸２５と同心状に配置されることにより、支持部材１００は、光ディスクドライブユニット２１の回転軸２５に対して回転軸２５の径方向外側に避けて配置される。これにより、支持部材１００によって回転軸２５が押圧されることを抑制することができるので、光ディスクドライブユニット２１の故障を抑制することができる。
【００７１】
次に、第一実施形態の変形例について説明する。
【００７２】
第一実施形態では、「電子機器」の一例として、ノート型パーソナルコンピュータについて説明したが、上述のベイ３０及び支持部材１００を有する構造は、ノート型パーソナルコンピュータ以外の電子機器に適用されても良い。また、上述のベイ３０及び支持部材１００を有する構造は、電子機器以外に適用されても良い。
【００７３】
また、第一実施形態では、「入力装置」の一例として、キーボード５０が用いられているが、キーボード５０以外の入力装置が用いられても良い。
【００７４】
また、第一実施形態では、「ユニット」の一例として、光ディスクドライブユニット２１、増設バッテリユニット２２、及び、ダミーユニット２３が用いられている。しかしながら、「ユニット」の一例として、光ディスクドライブユニット２１、増設バッテリユニット２２、及び、ダミーユニット２３以外のユニットが用いられても良い。
【００７５】
また、第一実施形態では、「収容空間」の一例として、光ディスクドライブユニット２１や増設バッテリユニット２２などのユニットが挿入されるベイ３０が設けられているが、ベイ３０以外の用途の収容空間が設けられても良い。
【００７６】
また、フレキシブルケーブル８８の長さ方向の中央部８８Ａは、「収容空間の内壁」の一例として、ベイ３０の天面を形成するキーボード５０の裏面５０Ａに沿って配線されている。しかしながら、フレキシブルケーブル８８の長さ方向の中央部８８Ａは、キーボード５０の裏面５０Ａ以外の内壁（例えば、ベイ３０の側壁など）に沿って配線されても良い。
【００７７】
また、フレキシブルケーブル８８は、その長さ方向の中央部８８Ａがベイ３０を通っているが、フレキシブルケーブル８８は、その長さ方向の全体がベイ３０を通っていても良い。また、フレキシブルケーブル８８の長さ方向の全体がベイ３０を通る場合に、フレキシブルケーブル８８は、その長さ方向の全体がベイ３０の内壁に沿って配線されても良い。
【００７８】
また、覆い部１０２は、フレキシブルケーブル８８の長さ方向の中央部８８Ａを覆っているが、フレキシブルケーブル８８の長さ方向の全体を覆っていても良い。
【００７９】
また、支持部１０１は、「入力装置の縁部」の一例として、キーボード５０の右前側の角隅部６１（カーソルキー５５が設けられた側の角隅部）に設けられた固定片７１の裏面７１Ａを支持するが、固定片７１以外の角隅部６１の裏面を支持しても良い。また、支持部１０１は、カーソルキー５５が設けられた側の角隅部６１以外の角隅部の裏面を支持しても良く、また、角隅部６１以外の縁部の裏面を支持しても良い。
【００８０】
また、第一実施形態では、支持部材１００の全体がベイ３０に収容されているが、支持部１０１、覆い部１０２、及び、連結部１０３がベイ３０に設けられ、支持部材１００におけるその他の部位は、ベイ３０の外側に位置していても良い。
【００８１】
また、第一実施形態では、「ケーブル」の一例として、平らなフレキシブルケーブル８８が用いられているが、平ら以外の形状のケーブルが用いられても良い。また、フレキシブルケーブル８８は、メイン基板８０及びサブ基板８６を接続するが、メイン基板８０及びサブ基板８６以外を接続しても良い。
【００８２】
なお、上記複数の変形例のうち組み合わせ可能な変形例は、適宜、組み合わされて実施されても良い。
【００８３】
［第二実施形態］
次に、本願の開示する技術の第二実施形態を説明する。
【００８４】
第二実施形態では、第一実施形態に対し、次のように構造が変更されている。すなわち、図１８，図１９に示されるように、キーボード５０の裏面５０Ａに重ね合わされたシート部材５４からは、フレキシブルケーブル１３８が導出されている。このフレキシブルケーブル１３８は、キーボード５０の右前側の角隅部６１（カーソルキー５５が設けられた側の角隅部）からキーボード５０の前側に延出されている。このフレキシブルケーブル１３８は、平らに形成されている。
【００８５】
図２０に示されるように、フレキシブルケーブル１３８の先端部よりも基端部側の部分１３８Ａは、ベイ３０の天面３０Ａ（より具体的には、ベイ３０の天面のうちキーボード５０と側壁部３２との間の面）と対向し、この天面３０Ａに沿って配線されている。この天面３０Ａは、「収容空間の内壁」の一例である。
【００８６】
図２１に示されるように、側壁部３２には、切欠き１３４が形成されており、この切欠き１３４には、フレキシブルケーブル１３８の先端部が挿入されている。側壁部３２の外側（ベイ３０の外側）には、コネクタ１４２が設けられており、フレキシブルケーブル１３８の先端部は、コネクタ１４２に接続されている。
【００８７】
また、第二実施形態では、支持部材１５０が用いられている。支持部材１５０は、上述の第一実施形態に係る支持部材１００のうち支持部１０１（図１０参照）の部分によって形成されている。この支持部材１５０は、固定片７１が形成されたキーボード５０の右前側の角隅部６１（カーソルキー５５が設けられた側の角隅部）に配置されており、且つ、ベイ３０内に位置する。
【００８８】
この支持部材１５０は、覆い部１５２と、締結部１５４と、突出部１５７と、被挟持片１５８と、支持片１５９とを有する（図２２も参照）。締結部１５４、突出部１５７、及び、被挟持片１５８は、第一実施形態における締結部１０４、突出部１０７、及び、被挟持片１０８（図１０参照）と同様の形状である。突出部１５７及び支持片１５９は、「支持部」の一例である。
【００８９】
突出部１５７は、覆い部１５２に対してキーボード５０側（本体装置１１の表側）に突出しており、フレキシブルケーブル１３８の厚さ分の高さを有している。この突出部１５７は、角隅部６１に形成された固定片７１の裏面７１Ａ（図２０参照）に当接し、この固定片７１の裏面７１Ａを支持する。
【００９０】
締結部１５４は、ネジ１６４によりアッパーケース４１に締結されており、これにより、支持部材１５０は、アッパーケース４１に固定されている。また、被挟持片１５８は、アッパーケース４１及びロアケース４２によって厚さ方向の両側から挟持される（図２３参照）。
【００９１】
覆い部１５２は、被挟持片１５８と突出部１５７との間の部分によって形成されており、ベイ３０の天面３０Ａと反対側（本体装置１１の底面側）からフレキシブルケーブル１３８の先端部よりも基端部側の部分１３８Ａを覆っている。この覆い部１５２は、フレキシブルケーブル１３８の厚みの分、被挟持片１５８及び支持片１５９に対してベイ３０の天面３０Ａと反対側（本体装置１１の底面側）にオフセットされている。
【００９２】
支持片１５９は、突出部１５７及び覆い部１５２に対する被挟持片１５８と反対側に形成されている。この支持片１５９も、突出部１５７と同様に、角隅部６１に形成された固定片７１の裏面７１Ａに当接し、この固定片７１の裏面７１Ａを支持する。
【００９３】
このように、第二実施形態においても、キーボード５０の裏側には、ベイ３０が設けられているが、このベイ３０では、支持部材１５０（支持部１０１及び支持片１５９）によってキーボード５０がその裏側から支持されている。
【００９４】
次に、第二実施形態の作用及び効果について説明する。
【００９５】
図２０に示されるように、第二実施形態においても、キーボード５０の裏側には、メイン基板８０と並んでベイ３０が設けられている。また、キーボード５０は、アッパーケース４１の内側からアッパーケース４１に貼り付けられている。このため、ベイ３０にユニットが挿入されていない状態において、ベイ３０の真上に位置するキートップが必要以上の荷重で押下された場合、ベイ３０が位置する部位においてキーボード５０がアッパーケース４１から剥がれることが懸念される。このようにベイ３０が位置する部位においてキーボード５０がアッパーケース４１から剥がれた場合、このキーボード５０の剥がれた部分がユニットの挿抜時にユニットと干渉する虞がある。
【００９６】
しかしながら、図２１に示されるように、第二実施形態では、キーボード５０の裏面５０Ａのうちベイ３０側の部分は、ベイ３０に設けられた支持部材１５０（突出部１５７及び支持片１５９）によって支持されている。従って、ベイ３０の真上に位置するキートップが押下された場合でも、キーボード５０の裏面５０Ａのうちベイ３０側の部分が下側から支持部材１５０によって支持されるので、ベイ３０が位置する部位においてキーボード５０がアッパーケース４１から剥がれることを抑制することができる。これにより、ユニットの挿抜時にユニットとキーボード５０とが干渉することを抑制することができる。
【００９７】
特に、キーボード５０の右前側の角隅部６１（カーソルキー５５が設けられた側の角隅部）は、スペース上の制約から貼付面積を確保することが難しい（図４参照）。このため、角隅部６１の付近のキートップ（カーソルキー５５）が必要以上の荷重で押下された場合、角隅部６１がアッパーケース４１から剥がれることが懸念される。また、貼付面積が少ない個所においては、キーボード５０の打鍵性が低下する虞がある。
【００９８】
しかしながら、第二実施形態では、キーボード５０において貼付面積が少ない角隅部６１に固定片７１が形成されている。そして、この固定片７１の裏面７１Ａが支持部材１５０（突出部１５７及び支持片１５９）によって支持されている。従って、キーボード５０において貼付面積が少ない角隅部６１の剥がれを抑制することができ、ひいては、ユニットの挿抜時にユニットと角隅部６１とが干渉することを抑制することができる。
【００９９】
また、キーボード５０において貼付面積が少ない角隅部６１に形成された固定片７１の裏面７１Ａが支持部材１５０の突出部１５７及び支持片１５９によって支持されているので、角隅部６１の剛性を確保することができる。これにより、角隅部６１の付近に配置されたキートップ（カーソルキー５５）の打鍵性を確保することができる。
【０１００】
また、支持部材１５０には、突出部１５７の近傍に締結部１５４が設けられており、この締結部１５４は、ネジ１６４によってアッパーケース４１に締結されている。従って、突出部１５７の剛性を向上させることができるので、この突出部１５７によって固定片７１の裏面７１Ａをより高い剛性で支持することができる。これにより、固定片７１が形成された角隅部６１の剥がれをより一層効果的に抑制することができる。
【０１０１】
また、キーボード５０から導出されたフレキシブルケーブル１３８の先端部よりも基端部側の部分１３８Ａは、ベイ３０の天面３０Ａ（より具体的には、ベイ３０の天面のうちキーボード５０と側壁部３２との間の面）に沿って配線されている。このように、フレキシブルケーブル１３８がベイ３０を通る場合に、フレキシブルケーブル１３８がユニットの経路上に張り出すと、ユニットの挿抜時にユニットとフレキシブルケーブル１３８とが干渉する虞がある。
【０１０２】
しかしながら、第二実施形態では、フレキシブルケーブル１３８に対するベイ３０の天面３０Ａと反対側（本体装置１１の底面側）から覆い部１５２がフレキシブルケーブル１３８の先端部よりも基端部側の部分１３８Ａを覆っている。従って、フレキシブルケーブル１３８がユニットの経路上に張り出すことを抑制することができるので、ユニットの挿抜時にユニットとフレキシブルケーブル１３８とが干渉することを抑制することができる。これにより、コネクタ１４２からのフレキシブルケーブル１３８の抜けや、フレキシブルケーブル１３８の損傷を抑制することができる。
【０１０３】
また、覆い部１５２は、フレキシブルケーブル１３８の厚みの分、被挟持片１５８及び支持片１５９に対してベイ３０の天面３０Ａと反対側（本体装置１１の底面側）にオフセットされている。従って、ベイ３０の天面３０Ａと覆い部１５２との間にフレキシブルケーブル１３８の厚みの分の隙間が確保されるので、フレキシブルケーブル１３８が覆い部１５２で押圧される（潰される）ことを抑制することができる。
【０１０４】
また、突出部１５７は、フレキシブルケーブル１３８の厚さ分、覆い部１５２に対してキーボード５０側（本体装置１１の表側）に突出している。従って、フレキシブルケーブル１３８が覆い部１５２で押圧される（潰される）ことを抑制しつつ、突出部１５７により固定片７１の裏面７１Ａを支持することができる。
【０１０５】
なお、上述の第一実施形態における複数の変形例のうち第二実施形態に適用可能な変形例は、第二実施形態に適用されても良い。
【０１０６】
以上、本願の開示する技術の第一及び第二実施形態について説明したが、本願の開示する技術は、上記に限定されるものでなく、上記以外にも、その主旨を逸脱しない範囲内において種々変形して実施可能であることは勿論である。
【０１０７】
なお、上述の本願の開示する技術の一態様に関し、更に以下の付記を開示する。
【０１０８】
（付記１）
ケースと、
前記ケースの内側から前記ケースに貼り付けられると共に、前記ケースへの貼付側と反対側にユニットが挿抜される収容空間が位置する入力装置と、
少なくとも一部が前記収容空間の内壁に沿って配線されたケーブルと、
前記収容空間に設けられ前記入力装置の前記ケースへの貼付側と反対側の面を支持する支持部と、前記ケーブルに対する前記内壁と反対側から前記ケーブルの少なくとも前記一部を覆う覆い部とを有する支持部材と、
を備えた電子機器。
（付記２）
前記支持部は、前記入力装置の前記ケースへの貼付側と反対側の面の縁部を支持する、
付記１に記載の電子機器。
（付記３）
前記支持部は、前記入力装置の前記ケースへの貼付側と反対側の面における前記縁部としての角隅部を支持する、
付記２に記載の電子機器。
（付記４）
前記入力装置の前記ケースへの貼付側と反対側の面は、前記入力装置の裏面であり、
前記支持部は、前記入力装置の裏面のうち、前記入力装置におけるカーソルキーが設けられた側の角隅部の裏面を支持する、
付記３に記載の電子機器。
（付記５）
前記入力装置の角隅部には、前記入力装置の外側に延出する固定片が形成され、
前記支持部は、前記固定片の裏面を支持する、
付記４に記載の電子機器。
（付記６）
前記ケースには、前記支持部とで前記固定片を挟持する固定部が設けられている、
付記５に記載の電子機器。
（付記７）
前記入力装置の前記ケースへの貼付側と反対側に前記収容空間と並んで配置された基板をさらに備え、
前記入力装置の前記ケースへの貼付側と反対側の面は、前記基板及び支持部によって支持されている、
付記１〜付記６のいずれか一項に記載の電子機器。
（付記８）
前記覆い部は、前記入力装置の中央部に対する前記支持部と反対側に位置し、
前記支持部材は、前記収容空間に設けられると共に前記支持部と前記覆い部とを連結し前記入力装置の前記ケースへの貼付側と反対側の面の中央部を支持する連結部をさらに有する、
付記１〜付記７のいずれか一項に記載の電子機器。
（付記９）
前記連結部は、前記入力装置の前記ケースへの貼付側と反対側の面の周縁部よりも内側に重ね合わされたシート部材を支持し、
前記支持部は、前記連結部に対して前記入力装置側に突出すると共に、前記シート部材の外側において前記入力装置の前記ケースへの貼付側と反対側の面の縁部を支持する突出部を有する、
付記１〜付記８のいずれか一項に記載の電子機器。
（付記１０）
前記支持部には、前記ケースに締結された締結部が設けられている、
付記１〜付記９のいずれか一項に記載の電子機器。
（付記１１）
第一の基板及び第二の基板をさらに備え、
前記ケーブルは、前記第一の基板と前記第二の基板とを接続する、
付記１〜付記１０のいずれか一項に記載の電子機器。
（付記１２）
前記入力装置の前記ケースへの貼付側と反対側の面は、前記入力装置の裏面であり、
前記ケーブルの少なくとも前記一部は、前記収容空間の内壁としての前記入力装置の裏面に沿って配線され、
前記覆い部は、前記ケーブルに対する前記入力装置の裏面と反対側から前記ケーブルの少なくとも前記一部を覆う、
付記１〜付記１１のいずれか一項に記載の電子機器。
（付記１３）
前記支持部材は、前記収容空間に設けられると共に前記支持部と前記覆い部とを連結し前記入力装置の裏面を支持する連結部をさらに有し、
前記覆い部は、前記連結部に対して前記入力装置の裏面と反対側にオフセットされている、
付記１２に記載の電子機器。
（付記１４）
前記ケーブルの一端部は、コネクタへの接続部とされ、
前記覆い部には、前記接続部の抜き方向に切り欠かれ前記ケーブルにおける前記接続部側の部位が挿入された切欠きが形成されている、
付記１〜付記１３のいずれか一項に記載の電子機器。
（付記１５）
前記支持部材は、前記ユニットの挿抜方向に延び前記ユニットを支持するレールを有する、
付記１〜付記１４のいずれか一項に記載の電子機器。
（付記１６）
前記ユニットの先端部に設けられたコネクタと接続されるコネクタをさらに備え、
前記支持部材は、前記ユニットの先端部を支持する位置決め部を有する、
付記１〜付記１５のいずれか一項に記載の電子機器。
（付記１７）
前記支持部材は、前記ユニットが前記収容空間に挿入された状態において、前記ユニットの回転軸に対して前記回転軸の径方向外側に避けて配置される、
付記１〜付記１６のいずれか一項に記載の電子機器。
（付記１８）
前記ケーブルは、前記入力装置から導出されている、
付記１〜付記７のいずれか一項に記載の電子機器。
（付記１９）
前記入力装置の前記ケースへの貼付側と反対側の面の周縁部よりも内側には、シート部材が重ね合わされ、
前記支持部は、前記覆い部に対して前記入力装置側に突出すると共に、前記シート部材の外側において前記入力装置の前記ケースへの貼付側と反対側の面の縁部を支持する突出部を有する、
付記１〜付記７、及び、付記１８のいずれか一項に記載の電子機器。
（付記２０）
前記ケースは、複数の開口が形成された枠部を有し、
前記入力装置は、キーボードベースと、前記キーボードベースの表側に配列され前記複数の開口の各々に挿入された複数のキートップとを有すると共に、前記複数のキートップの各々の周囲部にて前記枠部の裏面に貼り付けられたアイソレーションキーボードである、
付記１〜付記１９のいずれか一項に記載の電子機器。
（付記２１）
前記電子機器は、前記ケース、前記アイソレーションキーボード、前記ケーブル、及び、前記支持部材を有する本体装置と、前記本体装置に回動可能に固定された表示装置とを備えるノート型パーソナルコンピュータである、
付記１〜付記２０のいずれか一項に記載の電子機器。
（付記２２）
前記収容空間には、光ディスクドライブユニット、増設バッテリユニット、及び、ダミーユニットのいずれかが前記ユニットとして挿入される、
付記１〜付記２１のいずれか一項に記載の電子機器。
（付記２３）
前記光ディスクドライブユニット、前記増設バッテリユニット、及び、前記ダミーユニットのいずれかを備える、
付記１〜付記２２のいずれか一項に記載の電子機器。
（付記２４）
ケースの内側から前記ケースに貼り付けられた入力装置の前記ケースへの貼付側と反対側に位置しユニットが挿抜される収容空間に設けられ、前記入力装置の前記ケースへの貼付側と反対側の面を支持する支持部と、
少なくとも一部が前記収容空間の内壁に沿って配線されたケーブルの少なくとも前記一部を前記ケーブルに対する前記内壁と反対側から覆う覆い部と、
を有する支持部材。
【符号の説明】
【０１０９】
１０  ノート型パーソナルコンピュータ（電子機器の一例）
２１  光ディスクドライブユニット（ユニットの一例）
２２  増設バッテリユニット（ユニットの一例）
２３  ダミーユニット（ユニットの一例）
２５  回転軸
３０  ベイ（収容空間の一例）
３０Ａ  天面
４０  ケース
４１  アッパーケース
４６  固定部
５０  キーボード（入力装置の一例）
５０Ａ  裏面（入力装置のケースへの貼付側と反対側の面、収容空間の内壁の一例）
５１  キーボードベース
５２  キートップ
５３  両面テープ
５４  シート部材
５５  カーソルキー
６１  角隅部（入力装置の縁部の一例）
７１  固定片
７１Ａ  裏面（入力装置のケースへの貼付側と反対側の面の縁部（角隅部）の一例）
８８  フレキシブルケーブル（ケーブルの一例）
１００  支持部材
１０１  支持部
１０２  覆い部
１０３  連結部
１０７  突出部
１３８  フレキシブルケーブル（ケーブルの一例）
１５０  支持部材
１５２  覆い部
１５７  突出部
１５９  支持片
【図１】
2016042259.tif 000003
【図２】
2016042259.tif 000004
【図３】
2016042259.tif 000005
【図４】
2016042259.tif 000006
【図５】
2016042259.tif 000007
【図６】
2016042259.tif 000008
【図７】
2016042259.tif 000009
【図９】
2016042259.tif 000010
【図１０】
2016042259.tif 000011
【図１１】
2016042259.tif 000012
【図１２】
2016042259.tif 000013
【図１３】
2016042259.tif 000014
【図１４】
2016042259.tif 000015
【図１６】
2016042259.tif 000016
【図１８】
2016042259.tif 000017
【図１９】
2016042259.tif 000018
【図２０】
2016042259.tif 000019
【図８】
2016042259.tif 000020
【図１５】
2016042259.tif 000021
【図１７】
2016042259.tif 000022
【図２１】
2016042259.tif 000023
【図２２】
2016042259.tif 000024
【図２３】
2016042259.tif 000025